(57)【要約】【課題】改良対象地盤中に粗大な礫等が存在する場合にも用いることができ、ワイヤー等の絡みの生じるおそれのある部材を有さず、軸線が水平方向に延びる回転軸の回転に伴って鉛直方向に回転する縦型撹拌翼に取り付けることのできる、未硬化改良土の試料の採取手段を提供する。【解決手段】未硬化改良土の試料を収容するための、一端を閉じかつ他端に開口部分を有する筒状の本体部２と、縦型撹拌翼に対して脱着可能に取り付けるための取り付け部３と、縦型撹拌翼の回転によって筒状の本体部２の中へ周囲の未硬化改良土を収容させることのできる切り込み４ａを有する可撓膜体４と、筒状の本体部２と可撓膜体４の間に介在する枠体５を有する、未硬化改良土の試料の採取器。筒状の本体部２は、１つ以上の溝状の開口部２ａを有する。【選択図】図１
2012184559.tif 000002
【特許請求の範囲】
【請求項１】
縦型撹拌翼を用いる縦型回転混合撹拌方式による地盤改良後の未硬化改良土の試料を採取するための採取器であって、未硬化改良土の試料を収容するための、一端を閉じかつ他端に開口部分を有する筒状の本体部と、上記縦型撹拌翼に対して脱着可能に取り付けるための取り付け部を含むことを特徴とする未硬化改良土の試料の採取器。
【請求項２】
上記筒状の本体部の開口部分を塞ぐように配設された可撓膜体であって、上記縦型撹拌翼の回転によって上記筒状の本体部の中へ周囲の未硬化改良土を収容させることのできる切り込みを有する可撓膜体を含む、請求項１に記載の採取器。
【請求項３】
上記筒状の本体部と上記可撓膜体の間に介在する枠体であって、上記筒状の本体部に対して脱着可能に取り付けられ、かつ、上記可撓膜体の縁部に固着された枠体を含む、請求項２に記載の採取器。
【請求項４】
上記筒状の本体部の周面を形成する周壁に、上記筒状の本体部の軸線方向に延びる、１つ以上の溝状の開口部が設けられている、請求項１〜３のいずれか１項に記載の採取器。
【請求項５】
請求項１〜３のいずれか１項に記載の採取器を用いた未硬化改良土の試料の採取方法であって、
上記縦型撹拌翼の構成部分である２つの撹拌爪の間に、上記採取器を取り付ける準備工程と、
未硬化改良土の中に、上記縦型撹拌翼を、上記採取器の中に土が収容されない正回転の方向に回転させながら、任意の予め定めた深さまで下降させる下降工程と、
上記任意の予め定めた深さにて、上記縦型撹拌翼を、逆回転の方向に回転させて、上記採取器の中に未硬化改良土の試料を収容させる試料収容工程と、
上記縦型撹拌翼を、正回転の方向に回転させながら、地上まで上昇させる上昇工程、
を含むことを特徴とする未硬化改良土の試料の採取方法。
【発明の詳細な説明】
【技術分野】
【０００１】
本発明は、地盤改良後の未硬化状態の改良土（本明細書中、未硬化改良土という。）の試料を採取するための採取器及び採取方法に関する。
【背景技術】
【０００２】
地盤改良工事の直後に、任意の深さの未硬化改良土の状態を確認するために、この任意の深さまで未硬化改良土の試料の採取器を下降させ、この採取器を用いて未硬化改良土の試料を採取し、採取した試料について一軸圧縮試験等の試験を行なう方法が知られている。
この方法で用いられる未硬化改良土の試料の採取器として、種々のものが知られている。
一例として、前面にスライド機構によって開閉可能な蓋を備えた長方形のバケットを、掘削撹拌軸の撹拌羽根に、底面が水平になるようにコ字型ガイドで脱着可能に装備し、前記バケットの前面の蓋の上下に、該蓋を開閉するためのワイヤーを備えてなることを特徴とした未硬化改良地盤のコア採取装置が、提案されている（特許文献１）。
【先行技術文献】
【特許文献】
【０００３】
【特許文献１】特開平８−２１８３５６号公報
【発明の概要】
【発明が解決しようとする課題】
【０００４】
上述の文献に記載されている未硬化改良地盤のコア採取装置は、ワイヤーを引っ張るかまたは緩めることによって蓋を開閉するものである。そのため、未硬化改良土の中に粗大な礫等が含まれている場合、蓋の開閉作業が、粗大な礫等によって妨げられるおそれがある。
また、このコア採取装置は、鉛直方向に延びるワイヤーを有するため、掘削撹拌軸の周りに数回転以上、回転させると、ワイヤーが掘削撹拌軸に絡まると考えられる。そのため、採取すべきコアの深さが大きい場合や、未硬化改良土の粘性が大きい場合であっても、コア採取装置の地盤への貫入・引抜き時に掘削撹拌軸を回転させることができず、掘削撹拌軸の地盤内への圧入及び引き上げの作業が困難な場合があると考えられる。
さらに、このコア採取装置は、鉛直方向に延びる掘削撹拌軸の回転に伴って水平方向に回転する撹拌羽根に取り付けて用いるためのものである。仮に、このコア採取装置を、鉛直方向に回転するロータリー式撹拌機の撹拌羽根に取り付けた場合には、コアの採取のための撹拌羽根の回転時に、ワイヤーが絡んで使用できなくなるなどの問題が生じると考えられる。
そこで、本発明は、改良対象地盤中に粗大な礫等が存在する場合にも用いることができ、ワイヤー等の絡みの生じるおそれのある部材を有さず、軸線が水平方向に延びる回転軸の回転に伴って鉛直方向に回転する撹拌翼（縦型撹拌翼）に取り付けることのできる、未硬化改良土の試料の採取手段を提供することを目的とする。
【課題を解決するための手段】
【０００５】
本発明者は、上記課題を解決するために鋭意検討した結果、一端を閉じかつ他端に開口部分を有する筒状の本体部と、縦型撹拌翼に対して脱着可能に取り付けるための取り付け部を含む採取器によれば、上記目的を達成しうることを見出し、本発明を完成した。
すなわち、本発明は、以下の［１］〜［５］を提供するものである。
［１］  縦型撹拌翼を用いる縦型回転混合撹拌方式による地盤改良後の未硬化改良土の試料を採取するための採取器であって、未硬化改良土の試料を収容するための、一端を閉じかつ他端に開口部分を有する筒状の本体部と、上記縦型撹拌翼に対して脱着可能に取り付けるための取り付け部を含むことを特徴とする未硬化改良土の試料の採取器。
［２］  上記筒状の本体部の開口部分を塞ぐように配設された可撓膜体であって、上記縦型撹拌翼の回転によって上記筒状の本体部の中へ周囲の未硬化改良土を収容させることのできる切り込みを有する可撓膜体を含む、前記［１］に記載の採取器。
［３］  上記筒状の本体部と上記可撓膜体の間に介在する枠体であって、上記筒状の本体部に対して脱着可能に取り付けられ、かつ、上記可撓膜体の縁部に固着された枠体を含む、前記［２］に記載の採取器。
［４］  上記筒状の本体部の周面を形成する周壁に、上記筒状の本体部の軸線方向に延びる、１つ以上の溝状の開口部が設けられている、前記［１］〜［３］のいずれかに記載の採取器。
［５］  前記［１］〜［３］のいずれかに記載の採取器を用いた未硬化改良土の試料の採取方法であって、上記縦型撹拌翼の構成部分である２つの撹拌爪の間に、上記未硬化改良土の試料の採取器を取り付ける準備工程と、未硬化改良土の中に、上記縦型撹拌翼を、上記採取器の中に土が収容されない正回転の方向に回転させながら、任意の予め定めた深さまで下降させる下降工程と、上記任意の予め定めた深さにて、上記縦型撹拌翼を、逆回転の方向に回転させて、上記採取器の中に未硬化改良土の試料を収容させる試料収容工程と、上記縦型撹拌翼を、正回転の方向に回転させながら、地上まで上昇させる上昇工程、を含むことを特徴とする未硬化改良土の試料の採取方法。
【発明の効果】
【０００６】
本発明の採取器は、一端を閉じかつ他端に開口部分を有する筒状の本体部を有するので、改良対象地盤中に粗大な礫等が存在する場合であっても、筒状の本体部の中への未硬化改良土の試料の収容に支障がなく、好適に用いることができる。
また、本発明の採取器は、一端を閉じかつ他端に開口部分を有する筒状の本体部を有するので、例えば、ワイヤーを用いて蓋の開閉を行なうように構成したものに比べて、ワイヤーと他の部材の絡み合いなどの問題を生じることがなく、より円滑に用いることができる。
さらに、本発明の採取器は、鉛直方向に回転する縦型撹拌翼に取り付けることができ、縦型回転混合撹拌方式による地盤改良工事において好適に用いることができる。具体的には、本発明の採取器を用いることによって、縦型回転混合撹拌方式によって改良された地盤中の任意の深さの地点にある未硬化改良土の試料を、縦型撹拌翼を有する混合撹拌装置をそのまま利用して、容易にかつ確実に、しかも迅速に採取することができる。また、採取された未硬化改良土の試料を、本発明の採取器から容易に取り出すことができ、この試料を用いて作製する供試体について、所定の材齢経過後の一軸圧縮強さ等の物性を測定することによって、この試料が、期待された物性を有しているかを確認することができる。したがって、本発明の採取器を用いると、低コストで、地盤改良工法の質の信頼性を大きく高めることができる。
【図面の簡単な説明】
【０００７】
【図１】図１の（ａ）は、本発明の未硬化改良土の試料の採取器の一例を示す斜視図であり、図１の（ｂ）は、（ａ）に示す採取器を右方から見た図である。
【図２】図２の（ａ）は、本発明の未硬化改良土の試料の採取器を縦型撹拌翼に取り付けた実施形態の一例を示す正面図であり、図２の（ｂ）は、その右側面図である。
【図３】図３の（ａ）は、本発明の未硬化改良土の試料の採取器を縦型撹拌翼に取り付けた実施形態の他の例を示す正面図であり、図３の（ｂ）は、その右側面図である。
【図４】図４は、本発明の未硬化改良土の試料の採取器を取り付ける対象である撹拌装置の先端部の攪拌爪の配置の一例を示す正面図である。
【図５】図５の（ａ）は、縦型混合撹拌装置の一例を示す正面図であり、図５の（ｂ）は、その右側面図である。
【図６】図６は、縦型回転混合撹拌方式による地盤改良工事を行っている状態を示す図である。
【発明を実施するための形態】
【０００８】
以下、図面を参照しつつ、本発明の未硬化改良土の試料の採取器の実施形態例について詳しく説明する。
図１中、本発明の未硬化改良土の試料の採取器１は、縦型撹拌翼を用いる縦型回転混合撹拌方式による地盤改良後の未硬化改良土の試料を採取するための採取器であって、筒状の本体部２と、縦型撹拌翼に対して脱着可能に取り付けるための取り付け部３と、切り込み４ａを有する可撓膜体４と、枠体５を含む。
本明細書中、「縦型撹拌翼」とは、軸線が水平方向に延びる回転軸の回転によって、鉛直方向（縦方向）に回転するように配設された撹拌翼をいう。
「縦型回転混合撹拌方式」とは、縦型撹拌翼の回転によって、固化材スラリーと地盤を構成する土を混合撹拌する工法をいう。なお、縦型回転混合撹拌方式による地盤改良施工機は、ロータリー式地盤改良撹拌機と呼ばれることがある。
本発明における地盤改良の例としては、軟弱地盤の上に建造物を構築するために、軟弱地盤を構成する土と固化材スラリーを混合撹拌して、平面視で矩形である角柱状の改良体を形成させる作業を繰り返して、予め定めた領域内の軟弱地盤の強度を増大させることが挙げられる。
【０００９】
筒状の本体部２は、一端を閉じかつ他端に開口部分を有するものであり、具体的には、一端を円形の平坦な板状体（図１中の本体部２の左端）として形成し、他端を円形の開口部分（図１中の本体部２の右端）として形成し、これら両端を結ぶ部分を円筒状の胴部として形成されている。
筒状の本体部２の胴部には、スリット（溝状の開口部）２ａが形成されている。スリット２ａは、採取器１内に未硬化改良土の試料が十分に収容されているかを外部から目視で確認するため、及び、筒状の本体部２内の高圧水による洗浄時の洗浄水を逃がすため（特に、作業員への洗浄水の跳ね返りを低減するため）に、設けられる。スリット２ａの数は、１つでもよいし複数でもよい。
なお、筒状の本体部２には、後述する棒状体６を挿通させるための２つの固定具挿通用孔が、設けられている。
本発明において、筒状の本体部２は、一端を閉じかつ他端に開口部分を有するものであればよく、図１に示す形態の他に、他の任意の形態を有することができる。他の形態例としては、例えば、一端を正方形又は長方形の平坦な板状体として形成し、他端を正方形又は長方形の開口部分として形成し、これら両端を結ぶ部分を、断面が正方形又は長方形である筒状の胴部として形成したものが挙げられる。
【００１０】
取り付け部３は、縦型撹拌翼に対して採取器１を脱着可能に取り付けるためのものである。取り付け部３は、筒状の本体部２の周面に溶接等で固着された一対の板状体３ａ、３ｂと、少なくとも両端が螺刻された長尺の棒状体（例えば、長尺のボルト）３ｃと、棒状体３ｃの両端に螺合させるためのナット３ｄとからなる。なお、一対の板状体３ａ、３ｂは、筒状の本体部２の軸線方向に適宜の距離を隔てて、互いに平行に設けられている。一対の板状体３ａ、３ｂは、各々、２つの固定具挿通用孔を有する。なお、棒状体３ｃとナット３ｄによって、固定具を構成している。
縦型撹拌翼に採取器１を取り付ける際には、まず、縦型撹拌翼のベースプレート（図１中、斜線で位置を示す。符号Ａを付してある。）を挟む形で一対の板状体３ａ、３ｂを位置決めし、次いで、板状体３ａ、３ｂの間に、固定具挿通用孔を挿通させた２本の棒状体（ボルト）３ｃを架け渡す。その後、２本の棒状体３ｃの各々の両端にナット３ｄを螺合させれば、取り付け作業が完了する。
本発明においては、取り付け部３を有するため、縦型撹拌翼に対する採取器１の脱着作業を容易に行なうことができる。
なお、取り付け部３は、縦型撹拌翼に対して採取器１を脱着可能に取り付けることができればよく、図１に示すもの以外の他の形態を有することができる。また、縦型撹拌翼に対する取り付け位置も、縦型撹拌翼の構成部分であれば任意であり、上述のベースプレート以外に、例えば、撹拌爪や、ベースプレートを支持するアーム等が挙げられる。なお、採取器１は、縦型撹拌翼に対して、直接取り付けてもよいし、他の部材を介在させるなどして間接的に取り付けてもよい。
【００１１】
可撓膜体４は、筒状の本体部２の開口部分を塞ぐように配設され、かつ、縦型撹拌翼の逆回転時に筒状の本体部２の中へ周囲の未硬化改良土を収容させることのできるように形成された切り込み４ａを有する。
可撓膜体４は、筒状の本体部２の中に収容された未硬化改良土の試料（特に、流動性の高いもの）の漏出を防ぐためのものであり、例えば、ゴム等の材質で形成することができる。
可撓膜体４の切り込み４ａは、例えば、可撓膜体４の中心点を中心とするＸ字状に形成することができる。可撓膜体４は、縦型撹拌翼の逆回転による土圧によって筒状の本体部２の側に撓む。この時に切り込み４ａに生じた隙間を通じて、周囲の未硬化改良土が筒状の本体部２の中に流入する。縦型撹拌翼の逆回転を止めて、未硬化改良土の収容が完了すると、可撓膜体４は、復元力によって元の状態に戻り、筒状の本体部２の中の未硬化改良土の漏出を防止することができる。
本発明において、未硬化改良土の試料の流動性が低い場合には、可撓膜体４及び枠体５を省略することができる。この場合、本発明の採取器は、一端を閉じかつ他端に開口部分を有する筒状の本体部２と、縦型撹拌翼に対して脱着可能に取り付けるための取り付け部３とから構成される。
【００１２】
枠体５は、筒状の本体部２と可撓膜体４の間に介在する部材であって、筒状の本体部２に対して嵌合されかつ棒状体６等の固定手段で固定された嵌合部５ａと、可撓膜体４の縁部に固着された環状の固着部５ｂを有する。なお、枠体５の嵌合部は、筒状の本体部２の外側に嵌合された短尺の円筒状の部分である。枠体５の環状の固着部は、可撓膜体４と略同一平面上に形成されている円環状の板状体であり、枠体５の嵌合部に対して垂直に折曲して形成されている。
嵌合部５ａには、２つの固定具挿通用孔が設けられている。この２つの固定具挿通用孔と、上述の筒状の本体部２に設けられた２つの固定具挿通用孔を重ね合わせた後、これら４つの孔に対して、少なくとも両端が螺刻された長尺の棒状体（例えば、長尺のボルト）６を挿通させ、次いで、棒状体６の両端にナット７を螺合させることによって、枠体５を筒状の本体部２に固定することができる。なお、棒状体６は、嵌合部５ａの外径より若干大きな長さを有するものであり、嵌合部５ａの軸線と交差するように（換言すると、環状の固着部５ｂの円の中心を通るように）配設される。
枠体５は、筒状の本体部２に対して脱着可能に取り付けられるとともに、可撓膜体４の縁部に固着されているものであればよく、図１に示すもの以外の他の形態を有することができる。例えば、棒状体６及びナット７を用いずに、筒状の本体部２の開口部分である一端の外周面に、螺刻部分を形成させるとともに、枠体５の縁の内周面に、筒状の本体部２の螺刻部分に対応する螺刻部分を形成させ、筒状の本体部２の螺刻部分と枠体５の螺刻部分を螺合させることによって、枠体５を筒状の本体部２に固定してもよい。
【００１３】
採取器１の容量は、採取の目的に応じて適宜定めることができるが、ここでは改良土の一軸圧縮試験を行なう場合を例にとり説明する。
この場合、一軸圧縮試験用の供試体の寸法をφ５ｃｍ×１０ｃｍとし、試験に供する材齢を３日、７日、２８日の計３種類とし、各種類それぞれ３本の供試体について試験した値の平均値を算出するものとすると、１つの供試体の体積は約２００ｃｍ3であるから、試料の必要量は、２００ｃｍ3×３（３種類の材齢）×３（平均値の算出用の必要数）×１．３（余裕を持たせるための割増）＝約２，４００ｃｍ3、と計算することができる。筒状の本体部の長さを２０ｃｍとすれば、断面積は１２０ｃｍ2であり、円形の断面を有するとすれば、筒状の本体部の内径は約１３ｃｍである。これらの値（長さ：２０ｃｍ、内径：１３ｃｍ）は、実用可能な寸法である。
【００１４】
本発明の未硬化改良土の試料の採取器は、例えば、図２または図３に示す形態で、縦型撹拌翼に取り付けることができる。
図２は、縦型撹拌翼１１に対して本発明の採取器１５を取り付けた状態を示す。図２中、図示しない水平方向に延びる回転軸の回転に伴って鉛直方向に回転するアーム１２の先端に、ベースプレート１３が固着されている。ベースプレート１３は、矩形の平板状に形成されている。ベースプレート１３の、アーム１２が位置する側とは逆の側の面には、複数（図２では３つ）の撹拌爪１４が設けられている。一方、本発明の採取器１５は、取り付け部１６、可撓膜体１７、枠体１８及び筒状の本体部１９を有する。取り付け部の一対の板状体１６ａは、ベースプレート１３を挟む形で位置決めされており、少なくとも両端が螺刻された棒状体（例えば、長尺のボルト）１６ｃ及びナット１６ｄによって、ベースプレート１３に固定されている。
【００１５】
図３は、図２に示すものと同じ縦型撹拌翼１１に対して、図２に示す採取器１５とは異なる形態を有する採取器２５を取り付けた状態を示す。本発明の採取器２５は、取り付け部２６、可撓膜体２７、枠体２８及び本体部２９を有する。取り付け部２６は、中央の撹拌爪１４に取り付けるための取り付け部２６ａと、側方の撹拌爪１４に取り付けるための取り付け部２６ｂと、ベースプレート１３に取り付けるための取り付け部２６ｃを含む。取り付け部２６ａ及び取り付け部２６ｂの各々には、撹拌爪１４を挿通するための断面がコの字状またはロの字状の開口部が設けられている。また、取り付け部２６ｃは、ベースプレート１３を挟む形で位置決めされており、少なくとも両端が螺刻された棒状体（例えば、長尺のボルト）２６ｄ及びナット２６ｅによって、ベースプレート１３に固定されている。
【００１６】
本発明の採取器を取り付ける対象物である縦型撹拌翼について、説明する。
図４中、縦型撹拌翼３１は、軸線が水平に延びる回転軸３５と、回転軸３５から放射状に延びるアーム３２と、アーム３２の先端に配設されたベースプレート３３と、ベースプレート３３の面上に形成された撹拌爪３４を有する。また、アーム３２の周面には、付着土落とし用ビット３６が、回転軸３５の軸線と平行にかつ内方に延びるように突設されている。回転軸３５の中央からは、アーム３２と平行に、かつ、ベースプレート３３と干渉しないように、スタティックスタビライザ３７が設けられている。本発明の採取器は、任意に選択可能な２つの撹拌爪３４の間に、例えば図２または図３に示す形態で取り付けることができる。
【００１７】
図５は、縦型混合撹拌装置の全体を示す図である。
縦型混合撹拌装置４１は、図示しないバックホウのアームに取り付けるブラケット４２と、躯体４３と、駆動装置４４と、縦型撹拌翼４５を有する。なお、縦型撹拌翼４５は、上述のとおり、回転軸４６、撹拌爪４７等を有する。
図６は、縦型混合撹拌装置を用いて地盤改良工事を行っている状態を示す図である。バックホウのベースマシン５１には、第一のアーム５２が取り付けられており、第一のアーム５２には、さらに第二のアーム５３が取り付けられている。第二のアーム５３の先端には、縦型混合撹拌装置４１が取り付けられている。第一のアーム５２と第二のアーム５３によって、縦型混合撹拌装置４１の昇降機構を構成している。図６は、縦型混合撹拌装置４１を地表面５４の下方に貫入させていく状態を示し、撹拌爪４７の上方には撹拌土５５が形成されている。図６中の符号５６は、改良下端部を示す。なお、図６中の縦型混合撹拌装置の各部には、図５と同じ符号を付けている。
【００１８】
本発明の未硬化改良土の試料の採取器は、縦型混合撹拌装置に対して１つのみ取り付けてもよいし、複数取り付けてもよい。例えば、縦型混合撹拌装置の左右のアーム３２（図４参照）の各々のベースプレート３３に設けられた撹拌爪３４に各々取り付けた計２つの採取器と、左右のアーム３２の各々に取り付けた計２つの採取器との合計４つの採取器を用いることによって、これら４つの採取器で採取された各試料の一軸圧縮強さを測定して、各試料間の強度の均一性を確認することもできる。
【００１９】
本発明の採取器を用いた未硬化改良土の試料の採取は、次のようにして行われる。
まず、改良対象区域に対して、地盤改良工事を行う。具体的には、図６に示すように、第一のアーム５２及び第二のアーム５３を回動させて、縦型混合撹拌装置４１の下端を地表面５４の所望の位置に定めた後、縦型撹拌翼（以下、撹拌翼と略す。）を正回転させながら、かつ、縦型混合撹拌装置４１を地盤中の下方に向かって貫入させながら、固化材スラリーを吐出していく。スタティックスタビライザ３７（図４参照）の下端が所望の深さに達したら、撹拌翼４５を正回転させながら、かつ、撹拌翼４５の付近に設けられている吐出口からセメント系固化材スラリーを吐出させながら、或いは吐出させないで、縦型混合撹拌装置４１を上方に引き上げていく。そして、所定の深さの地点に達した時に固化材スラリーの吐出を中止し、その後も、縦型混合撹拌装置４１を上方に引き上げていき、地盤から完全に抜けた状態になった時に停止させる。以上の作業によって、地盤改良工事が完了する。なお、地盤改良工事の完了後に、通常、縦型混合撹拌装置４１の清掃が行なわれる。
【００２０】
次に、縦型混合撹拌装置４１の２つの撹拌爪４７（図５及び図６参照）の間にて、本発明の採取器を撹拌爪のベースプレート３３（図４、及び、図１中の符号３ａ，３ｂによって挟まれた斜線部分Ａを参照）に取り付け、改良土が未硬化状態にあるうちに、縦型混合撹拌装置４１を、地表面５４上の予め定めた地点にて、予め定めた深さまで、撹拌翼４５を正回転の方向に回転させながら、地盤中に貫入させる。この際、本発明の採取器は、撹拌翼４５が正回転の方向に回転するときに周囲の土が収容されないように、当該採取器の閉じた端部が土圧を受ける向きに取り付けておく。なお、本明細書中、「正回転の方向」とは、本発明の採取器が土を収容しないような撹拌翼の回転方向をいい、「逆回転の方向」とは、本発明の採取器が土を収容するような撹拌翼の回転方向をいう。
【００２１】
縦型混合撹拌装置４１が、予め定めた深さの地点に達したら、撹拌翼４５の回転を正回転から逆回転に切り替え、周囲の未硬化改良土を採取器の内部に収容させる。次いで、撹拌翼の回転を逆回転から正回転に切り替え、縦型混合撹拌装置４１を上方に引き上げていき、縦型混合撹拌装置４１の下端が地表面５４のやや上方に達したときに、停止させる。その後、本発明の採取器を撹拌翼から外し、採取器の中の未硬化改良土の試料を取り出す。この試料について、一軸圧縮試験等の試験を行う。
なお、本発明の採取器を撹拌翼４５から外す前に、採取器を構成する筒状の本体部のスリット（図１中の符号２ａ参照）を通して、未硬化改良土が十分に収容されているかを確認することができる。
【実施例】
【００２２】
［実施例１］
図２に示す採取器（筒状の本体部の長さ：２０ｃｍ、筒状の本体部の内径：１３ｃｍ、ゴム製の可撓膜体を有するもの）を用い、かつ、図２及び図６に示す混合撹拌装置等の機械を用いて、所定の深さ（約１０ｍ）の地点にて、未硬化改良土の試料を採取した。採取された試料は、筒状の本体部の中に十分に充填されていた。なお、未硬化改良土の試料の採取作業は、迅速かつ円滑に行なうことができた。
【符号の説明】
【００２３】
１，１５，２５    本発明の未硬化改良土の試料の採取器
２，１９，２９    筒状の本体部
２ａ    スリット（溝状の開口部）
３，１６，２６    取り付け部
３ａ，３ｂ，１６ａ，１６ｂ    板状体
３ｃ，１６ｃ，２６ｄ    棒状体
３ｄ，７，１６ｄ，２６ｅ    ナット
４，１７，２７    可撓膜体
４ａ    切り込み
５，１８，２８    枠体
５ａ    嵌合部
５ｂ    環状の固着部
６    棒状体
１１，３１，４５    縦型撹拌翼
１２，３２    アーム
１３，３３    ベースプレート
１４，３４，４７    撹拌爪
２６ａ，２６ｂ，２６ｃ    取り付け部
３５，４６    回転軸
３６    付着土落とし用ビット
３７    スタティックスタビライザ
４１    縦型混合撹拌装置
４２    ブラケット
４３    躯体
４４    駆動装置
５１    ベースマシン
５２    第一のアーム
５３    第二のアーム
５４    地表面
５５    撹拌土
５６    改良下端部
Ａ    縦型撹拌翼のベースプレートの位置
【図１】
2012184559.tif 000003
【図２】
2012184559.tif 000004
【図３】
2012184559.tif 000005
【図４】
2012184559.tif 000006
【図５】
2012184559.tif 000007
【図６】
2012184559.tif 000008